(57)【要約】【課題】Webが持つ媒体特性を最大限に生かしたプロモーションを可能とするとともに、インパクトのあるコンテンツ表示により大きな宣伝効果を得る。【解決手段】インターネット５上に配置されたWebサーバ２によって、バナーＢ１１をWebページＰ１内に表示させるとともに、Webページ間を遷移するためのリンク情報を記述して配信し、ユーザー端末１上で実行されたブラウザソフトによってWebページＰ１のデータを受信し、ユーザー端末１のモニター１ａに表示させ、ブラウザソフト上でバナーＢ１１に対するクリック操作がなされると、バナーに関連づけられた広告コンテンツが表示装置の全画面に再生表示され、その後、クリックされたバナーに関連づけられたリンク情報に従って、Webページ間の遷移を行う。【選択図】  図２
2009146235.tif 000002
【特許請求の範囲】
【請求項１】
通信ネットワーク上に分散配置されたWebページに掲載されたバナーを利用した広告プロモーションシステムであって、
前記通信ネットワークに接続され、前記Webページのデータを受信して表示装置に表示させるブラウザソフトを備えたユーザー端末と、
前記ユーザー端末上で実行され、前記表示装置の全画面に動画データを再生表示させる動画再生手段と、
少なくとも動画データを含む広告コンテンツを蓄積し、前記通信ネットワークを通じて配信する広告コンテンツサーバと、
前記通信ネットワーク上に配置され、前記バナーを前記Webページ内に表示させるとともに、Webページ間を遷移するためのリンク情報を記述して配信するWebサーバと
を備え、
前記ユーザー端末は、該Webページ上に掲載されたバナーがクリックされることにより、前記Webページ間の遷移と、該バナーに関連づけられた前記広告コンテンツの取得と、前記動画再生手段による該広告コンテンツの全画面再生とを処理するスクリプトとを実行する
ことを特徴とする広告システム。
【請求項２】
前記動画再生手段は、前記広告コンテンツを再生している間、該動画再生手段の動作を制御するユーザーコントロールを非表示とする機能を備えることを特徴とする請求項１に記載の広告システム。
【請求項３】
前記広告コンテンツサーバは、各広告コンテンツについて、いずれのブラウザソフトで何回表示されたかをカウントし記録する再生回数カウント手段を備え、
前記スクリプトの実行に際し、前記ユーザー端末は、配信に係る広告コンテンツのカウントに応じて、該広告コンテンツの再生を規制することを特徴とする請求項１に記載の広告システム。
【請求項４】
前記広告コンテンツサーバは、
同一内容の広告コンテンツについて複数種のファイルサイズのデータを蓄積するコンテンツデータベースと
前記ユーザー端末が接続されている回線速度を測定する速度測定手段と、
前記速度測定手段による測定結果に応じて、前記コンテンツデータベース内の広告コンテンツのサイズを選択するファイルサイズ変更部と
を備えることを特徴とする請求項１に記載の広告システム。
【請求項５】
前記Webサーバは、
ユーザー端末における前記動画再生手段の実行の可否を検知する実行環境検出手段と、
前記実行環境検出手段による検出結果に応じて、前記バナーを差し替えるとともに、前記スクリプトにおける前記動画再生手段による全画面再生を禁止する
ことを特徴する請求項１に記載の広告システム。
【請求項６】
通信ネットワーク上に分散配置されたWebページに掲載されたバナーを利用した広告方法であって、
前記通信ネットワーク上に配置されたWebサーバによって、前記バナーを前記Webページ内に表示させるとともに、Webページ間を遷移するためのリンク情報を記述して配信するWeb配信ステップと、
前記通信ネットワークに接続されたユーザー端末上で実行されたブラウザソフトによって、前記Webサーバから前記Webページのデータを受信し、該ユーザー端末の表示装置に表示させるWeb表示ステップと、
前記ユーザー端末のブラウザソフト上で、Webページ上に掲載されたバナーに対するクリック操作を受け付ける操作ステップと、
前記少なくとも動画データを含む広告コンテンツが蓄積された広告コンテンツサーバから、前記クリック操作に応じて、前記通信ネットワークを通じ、前記バナーに関連づけられた広告コンテンツを前記ユーザー端末において取得するとともに、前記ユーザー端末上で動画再生手段を実行し、受信した該広告コンテンツに含まれる動画データを前記表示装置の全画面に再生表示させる広告表示ステップと、
クリックされた前記バナーに関連づけられたリンク情報に従って、Webページ間の遷移を行うページ遷移ステップと
を有することを特徴とする広告方法。
【請求項７】
前記広告表示ステップにおいて前記動画再生手段は、前記広告コンテンツを再生している間、該動画再生手段の動作を制御するユーザーコントロールを非表示とすることを特徴とする請求項６に記載の広告方法。
【請求項８】
前記広告表示ステップにおいて前記広告コンテンツサーバは、再生回数カウント手段によって、各広告コンテンツについて、いずれのブラウザソフトで何回表示されたかをカウントし記録しておき、前記ユーザー端末において、前記動画再生手段の実行に際し、配信に係る広告コンテンツのカウントに応じて、該広告コンテンツの再生を規制することを特徴とする請求項６に記載の広告方法。
【請求項９】
前記広告表示ステップにおいて、
前記広告コンテンツサーバは、同一内容の広告コンテンツについて複数種のファイルサイズのデータを蓄積しており、広告コンテンツの配信に際して、前記ユーザー端末が接続されている回線速度を前記速度測定手段により測定し、この測定結果に応じて前記広告コンテンツのサイズを選択して配信し、
前記動画再生手段は、選択されたサイズの広告コンテンツを再生する
ことを特徴とする請求項６に記載の広告方法。
【請求項１０】
前記Web配信ステップにおいて前記Webサーバは、実行環境検出手段により、前記ユーザー端末における前記動画再生手段の実行の可否を検知するとともに、前記実行環境検出手段による検出結果に応じて、前記バナーを差し替え、
前記広告表示ステップにおいて前記動画再生手段による全画面再生を禁止する
ことを特徴する請求項６に記載の広告方法。
【発明の詳細な説明】
【技術分野】
【０００１】
本発明は、インターネット等の通信ネットワーク上に分散配置されたWebページに掲載されたバナーを利用した広告システム及び広告方法に関する。
【背景技術】
【０００２】
Webを利用した広告プロモーションとしてバナー広告がある。このバナー広告では、ホームページ上に掲載してある静止画やアニメーションなどからなるバナーをクリックして企業等広告主のホームページや商品等にジャンプするものである。他に、記事情報配信サービスの加入者に文字テキストを送信する電子メール広告、専用のソフトウェアを用いユーザーがWebからダウンロードするのと同時に配信されるプッシュ型広告等がある。それぞれ、広告部分をクリックすることによって企業等広告主のホームページにジャンプすることができる（例えば、特許文献１）。
【０００３】
ところで上記した従来のWeb広告プロモーションは、バナーから企業等広告主のホームページへのジャンプや、別ウィンドゥ立ち上げによるポップアップ機能に制限され、あくまでも企業等の広告主サイトに集約し、完結するものであったことから、インタラクティブな媒体特性を持つWebを利用しながらも、その技術的な要素や既存技術の組み合わせに関しても新しい仕組みは取り入れられていなかった。
【０００４】
これに対し、数種類の広告、或いはプロモーショナルな作品（WebＣＭ）を、Webならではの動画やインタラクティブ表現を用いて構成し、これをインターネット上の広告コンテンツ（WebＣＭ）サーバに登録しておき、Web上に提示されたバナーをクリックすることにより、そのバナーに対応するWebＣＭを別ウィンドウで自動再生する広告プロモーション装置が提案されている。
【特許文献１】特開２００２−２９７９９３
【発明の開示】
【発明が解決しようとする課題】
【０００５】
しかしながら、上述した特許文献１に開示された技術では、単に表示装置上に区画形成されたウィンドウ内に、単に広告コンテンツを表示・再生するものであったため、表示されたコンテンツのインパクトが小さく、宣伝効果が限定的になるという問題があった。
【０００６】
本発明は上記事情に鑑みてなされたものであり、Webが持つ媒体特性を最大限に生かしたプロモーションを可能とするとともに、インパクトのあるコンテンツ表示により大きな宣伝効果が期待できる広告システム及び広告方法を提供することをその目的とする。
【課題を解決するための手段】
【０００７】
上記課題を解決するために、本発明は、通信ネットワーク上に分散配置されたWebページに掲載されたバナーを利用した広告システム及び方法であって、以下の構成をその要旨とする。
（１）通信ネットワーク上に配置されたWebサーバによって、バナーをWebページ内に表示させるとともに、Webページ間を遷移するためのリンク情報を記述して配信する。
（２）通信ネットワークに接続されたユーザー端末上で実行されたブラウザソフトによって、WebサーバからWebページのデータを受信し、ユーザー端末の表示装置に表示させる。
（３）ユーザー端末のブラウザソフト上で、Webページ上に掲載されたバナーに対するクリック操作を受け付ける。
（４）少なくとも動画データを含む広告コンテンツが蓄積された広告コンテンツサーバから、クリック操作に応じて、通信ネットワークを通じ、ユーザー端末によりバナーに関連づけられた広告コンテンツを取得するとともに、ユーザー端末上で動画再生手段を実行し、受信した広告コンテンツに含まれる動画データを表示装置の全画面に再生表示させる。
（５）クリックされたバナーに関連づけられたリンク情報に従って、Webページ間の遷移を行う。
【０００８】
このような本発明によれば、Webが元来有するインタラクティブな機能を活用し、バナーを通じて宣伝広告を行えるとともに、Webページ間の遷移によりユーザーをリンク先に誘導するなど、通信ネットワークが持つ媒体特性を最大限に生かしたプロモーションが可能となる。特に、本発明によれば、Webページ間の遷移に際し、バナーに関連づけられた広告コンテンツの動画データを、ユーザー端末の表示装置の全画面に再生表示させるため、表示されたコンテンツのインパクトを大きくすることができ、宣伝効果を高めることができる。
【０００９】
上記発明において、動画再生手段は、広告コンテンツを再生している間、動画再生手段の動作を制御するユーザーコントロールを非表示とすることが好ましい。この場合には、広告コンテンツの再生表示を中止したりスキップしたりするためのユーザーコントロールを非表示とすることにより、広告コンテンツの再生が中止されたりスキップされたりするのを防止することができ、広告コンテンツによるプロモーションを完遂することができる。
【００１０】
上記発明において、広告コンテンツサーバは、再生回数カウント手段によって、各広告コンテンツについて、いずれのブラウザソフトで何回表示されたかをカウントし記録しておき、ユーザー端末において、動画再生手段の実行に際し、配信に係る広告コンテンツのカウントに応じて、広告コンテンツの再生を規制することが好ましい。この場合には、各ユーザーに対する広告コンテンツの再生回数を規定することができ、宣伝効果を十分に得ることができるとともに、同一のコンテンツが必要以上に繰り返し再生されることを制限することもできる。
【００１１】
上記発明において、広告コンテンツサーバは、同一内容の広告コンテンツについて複数種のファイルサイズのデータを蓄積しており、広告コンテンツの配信に際して、ユーザー端末が接続されている回線速度を速度測定手段により測定し、この測定結果に応じて広告コンテンツのサイズを選択して配信し、動画再生手段は、選択されたサイズの広告コンテンツを再生することが好ましい。この場合には、ユーザー端末の通信環境に即したサイズの広告コンテンツを配信することにより、広告コンテンツの再生が滞らないようにすることができ、通信遅延により宣伝効果が低減されるのを回避することができる。
【００１２】
上記発明において、Webサーバは、実行環境検出手段により、ユーザー端末における動画再生手段の実行の可否を検知するとともに、実行環境検出手段による検出結果に応じて、バナーを差し替え、広告表示ステップにおいて動画再生手段による全画面再生を禁止することが好ましい。この場合には、ユーザー端末側に動画を再生する機能が備えられていないときに、動画の再生処理が実行されるのを防止することができる。特に、バナーが表示される時点で、バナーの表示内容を切り替えることから動画再生に替えて他の広告コンテンツを表示させることができ、動画再生ができない環境のユーザーが、動画が再生されると誤解するのを防止することもできる。
【発明の効果】
【００１３】
以上述べたように、本発明によれば、インターネット等の通信ネットワーク上に分散配置されたWebページに掲載されたバナーを利用して、Webページが持つ媒体特性を最大限に生かすとともに、ＣＭ動画の全画面表示やその他のインタラクティブな演出によって、インパクトのある広告プロモーションにより大きな宣伝効果が期待することができる。
【発明を実施するための最良の形態】
【００１４】
（広告システムの全体構成）
以下に添付図面を参照して、本発明に係る広告システムの実施形態を詳細に説明する。図１は、本実施形態に係る広告システムの全体構成を示す概念図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００１５】
図１に示すように、広告システムは、インターネット５に接続され、ユーザーが使用するユーザー端末１と、インターネット５上においてWebページを配信するWebサーバ２及び４と、動画データを含む広告コンテンツを配信する広告コンテンツサーバ３とを備えている。
【００１６】
インターネット５は、通信プロトコルTCP/IPを用いて種々の通信回線（電話回線やISDN回線、ADSL回線などの公衆回線、専用回線、無線通信網）を相互に接続して構築される分散型の通信ネットワークであり、この通信ネットワーク網には、10BASE-Tや、100BASE-TX等によるイントラネット（企業内ネットワーク）や家庭内ネットワークなどのLANなども含まれる。
【００１７】
Webサーバ２及び４及び広告コンテンツサーバ３は、WWW（World Wide Web）等のドキュメントシステムにおいて、HTML（HyperText Markup Language）ファイルや画像ファイル、音楽ファイルなどの情報送信を行うサーバコンピュータ或いはその機能を持ったソフトウェアであり、HTML文書や画像などの情報を蓄積しておき、ブラウザソフトなどのクライアントソフトウェアの要求に応じて、インターネット５を通じて、これらの情報を配信する。
【００１８】
本実施形態では、図２に示すように、バナーＢ１又はバナーＢ２を含むWebページＰ１をWebサーバ２から配信し、バナーに関連づけられたリンク情報を辿って、リンク先であるWebサーバ４から配信される“クライアントＨＰ”等のWebページＰ２に遷移する場合を例示する。このWebサーバ２から配信されるWebページＰ１内のバナーは、ユーザー端末１側に動画表示能力があるか否かに応じて、動画リンク用バナーＢ１１（ホームページリンク用バナーＢ１２を含む。）を表示するか、通常フラッシュバナーＢ２を表示するかが切り替えられるようになっている。
【００１９】
なお、本実施形態において、WebページＰ１は、例えば、ＩＤとパスワードによってアクセス制限がされ、ＩＤとパスワードによってログインした後に表示される会員制のページであり、本実施形態では、WebページＰ１が表示されている時点で、アクセス者に対する認証処理が終了されており、Webサーバ側でユーザーの特定ができているものとする。また、WebページＰ２としては、クライアントＨＰ（クライアントのオフィシャルサイト）に直接的にリンクされたページの他、例えば、インデックスページのようにクライアントＨＰや関連情報のリンク（ＵＲＬ）がリストのように記載されたページとすることもでき、このインデックスページでは、ユーザの任意の操作により遷移先を選択可能としてもよい。
【００２０】
そして、動画リンク用バナーＢ１１が表示された場合には、それをクリックすることによって、広告コンテンツサーバ３から配信される動画データを含む広告コンテンツＣ１が、モニターに全画面表示で再生され、その再生の終了後クライアントホームページＰ２に遷移（ジャンプ）するようになっている。この動画リンク用バナーＢ１１は、ＧＩＦ等の静止画や、アニメーション等の動画表示ができ、クリックされることによって動画再生機能が起動され、広告コンテンツＣ１が再生される。
【００２１】
すなわち、WebページＰ１には、バナーＢ１に関連づけられて、Webページ間を遷移するためのリンク情報（ここではリンク先であるクライアントホームページＰ２のＵＲＬ）が記述されているとともに、バナーＢ１１がクリックされることにより、Webページ間の遷移と、バナーに関連づけられた広告コンテンツＣ１の取得と、広告コンテンツＣ１の全画面再生とを処理するスクリプトが記述されており、このバナーＢ１１をクリックすることにより、広告コンテンツＣ１の再生処理の実行後に、リンク先への遷移が行われる。
【００２２】
なお、ホームページリンク用バナーＢ１２をクリックした場合には、動画の再生は行われずに、直接クライアントホームページＰ２へ遷移する。一方、動画表示機能がないユーザー端末では、通常フラッシュバナーＢ２が表示されるが、この通常フラッシュバナーＢ２は、フラッシュなどの簡易的なアニメーションが表示可能な画像で構成され、クリックにより、直接クライアントホームページＰ２に遷移するようになっている。
【００２３】
上記Webサーバ２は、図３に示すように、WebページＰ１を配信する機構として、HTMLファイルや画像ファイル等のWebコンテンツを蓄積しておくコンテンツデータベース２１を備えており、このコンテンツデータベース２１からHTMLファイル等をWebコンテンツ配信部２３で読み出し、通信インターフェース２４を通じて、インターネット５上に送出するようになっている。
【００２４】
また、Webサーバ２は、上述したバナーを切り替える機構として、ユーザー端末１における動画再生手段の実行の可否を検知する実行環境検出部２５と、実行環境検出部２５による検出結果に応じて、バナーを差し替えるバナー変更部２２とを備えている。
【００２５】
実行環境検出部２５は、動画プレーヤーアプリケーションの実行ファイルのファイル名が列挙されたリストを備えており、検出対象なっているユーザー端末１内のファイル検索を行い、リストに挙げられている実行ファイルのファイル名が見つからない場合には、動画実行が不可能と判定し、ファイル名が見つかれば実行可能と判定する。この判定結果はバナー変更部２２に送出される。
【００２６】
バナー変更部２２は、ユーザー端末１が動画を再生する機能を備えていないと判定されている場合には、上述したバナーＢ２を表示させるべくWebページＰ１内に記述されているバナーのファイル名、及び動画再生手段による動画再生を実行させるためのスクリプトの記述を削除する。この動画再生を実行するスクリプトの記述を削除することにより、動画再生手段による全画面再生が禁止される。一方、動画を再生する機能を備えていると判定された場合には、バナーＢ１を表示させるべくWebページＰ２内に記述されているバナーのファイル名を変更するとともに、スクリプトの変更は行わず、デフォルトのまま前記動画再生手段による全画面再生を指示する。
【００２７】
上記広告コンテンツサーバ３は、図４に示すように、広告コンテンツＣ１を配信する機構として、動画ファイルを含むHTMLファイルや画像ファイル等の広告コンテンツＣ１を蓄積しておくコンテンツデータベース３１を備えており、このコンテンツデータベース３１から各種ファイルを広告コンテンツ配信部３３で読み出し、通信インターフェース３４を通じて、インターネット５上に送出するようになっている。なお、WebページＰ１へのログイン処理により、アクセス者であるユーザーを特定していることから、広告コンテンツ配信部３３において、ユーザーの属性（年齢、性別、職業、住所など）に応じた広告コンテンツを選択するようにしてもよい。
【００２８】
また、広告コンテンツサーバ３は、ユーザー端末１側での広告コンテンツの再生を規制する機構として、広告コンテンツを再生している間、ユーザー端末１側でユーザーコントロールを非表示とするための制御信号を送信するユーザーコントロール制御部３７を備えている。このユーザーコントロール制御部３７は、再生回数カウント部３６が接続されており、各広告コンテンツについて、いずれのブラウザソフトで何回表示されたかに応じて、該広告コンテンツの再生を規制する。再生回数カウント部３６は、各広告コンテンツの再生が終了する毎に、ユーザー毎の視聴回数を“１”増加させるように、コンテンツデータベース３１のカウンターデータを更新するとともに、広告コンテンツの再生に際しては、この再生に係るコンテンツのカウンターデータを読み出し、カウンターデータの値をユーザーコントロール制御部３７及び広告コンテンツ配信部３３に出力し、広告コンテンツの配信動作を規制させる。
【００２９】
広告コンテンツ再生の規制としては、例えば、動画再生動作の停止やスキップ、早送りなどの処理そのものを禁止するか、或いは、これらの処理を実行させるユーザーコントロールの表示・非表示を切り替えるなどが挙げられる。これらの機構により、例えば、各ユーザーに対する広告コンテンツを必要回数見せることができ、宣伝効果を十分に得ることができるとともに、同一のコンテンツが必要以上に繰り返し再生されることを制限することもできる。また、コンテンツの再生回数をユーザー毎に把握することにより、広告主に対する広告料の課金を詳細なものとすることができる。
【００３０】
また、このカウンターデータを利用して、WebページＰ１に表示されるバナー自体を差し替えたり、リンク先であるWebページＰ２を切り替えたり、全画面再生される動画データを変更したりしてもよい。なお、WebページＰ１へのログイン処理により、アクセス者であるユーザーを特定していることから、WebページＰ１内のバナーや、リンク先、動画データの変更に際し、ユーザーの属性（年齢、性別、職業、住所など）に応じて選択するようにしてもよい。また、上記カウンターデータを利用することにより、ＣＭである動画を見たか否か、或いは何回見たかに応じて、WebページＰ１に表示されるバナーやリンク先を追加して、ＣＭ動画の視聴に対するインセンティブを高めるようにしてもよい。
【００３１】
さらに、広告コンテンツサーバ３は、コンテンツデータベース３１に、同一内容の広告コンテンツについて複数種のファイルサイズのデータを蓄積しており、ユーザー端末１側の通信能力に応じて、配信に係る広告コンテンツのサイズを選択する機構を備えている。
【００３２】
具体的には、ユーザー端末１が接続されている回線速度を測定する回線速度測定部３５と、回線速度測定部３５による測定結果に応じて、コンテンツデータベース３１内の広告コンテンツのサイズを選択・変更するファイルサイズ変更部３２とを備えており、ユーザー端末が接続されている回線速度を測定し、その測定結果に応じて広告コンテンツのサイズを選択する。
【００３３】
この回線速度測定部３５は、例えば所定サイズのファイルをユーザー端末１に送信し、その所要時間を測定することにより、当該ユーザー端末１が接続されている通信回線の通信速度を測定する。ファイルサイズ変更部３２は、その通信回線の速度に応じて、配信可能なファイルサイズを決定し、この決定に従って広告コンテンツ配信部３３は、所定の広告コンテンツの動画ファイルをコンテンツデータベース３１から読み出し、通信Ｉ/Ｆ３４を通じて送信する。
【００３４】
ユーザー端末１は、インターネット５に接続され、インターネット５上からHTMLなどのWebページのデータを受信してモニター１ａに表示させるブラウザソフトを実行可能な情報処理装置である。このユーザー端末１としては、ＣＰＵを備えた演算処理機能を備えた情報処理装置であれば、パーソナルコンピュータ等の汎用コンピュータや、機能を特化させた専用装置により実現することができ、モバイルコンピュータやＰＤＡ（Personal Digital Assistance）、携帯電話機が含まれる。
【００３５】
また、ユーザー端末１は、広告システムに係るモジュールとして、図５に示すように、通信インターフェース１１と、アプリケーション実行部１４と、外部出力インターフェース１３と、操作信号受信部１２とを備えている。
【００３６】
通信インターフェース１１は、インターネット５に接続するための装置であり、電話回線に接続する際にディジタルデータと音声信号との相互変換を行うモデム等の変復調装置や、ADSL回線に接続する際にADSL信号とLAN回線との相互変換を行うADSLモデム等の信号変換機、ISDN回線に接続するために必要となるＤＳＵやターミナルアダプタ等の装置が含まれる。
【００３７】
アプリケーション実行部１４は、ＣＰＵ上でプログラムを実行するためのモジュールであり、このアプリケーション実行部１４でプログラムを実行することによって、ブラウザ部１４ａや、動画再生部１４ｂ、ユーザーコントロール表示部１４ｃがＣＰＵ上に仮想的に構築される。
【００３８】
ブラウザ部１４ａは、ブラウザソフトを実行することによって構築され、Webページを閲覧するためのモジュールであり、インターネット５からHTML（HyperText Markup Language）ファイルや画像ファイル、音楽ファイルなどをダウンロードし、レイアウトを解析して表示・再生する。フォームを使用してユーザーがデータをWebサーバに送信したり、JavaScriptやFlash、及びJava（登録商標）などで記述されたアプリケーションソフトを動作させたりすることも可能である。また、
動画再生部１４ｂは、動画データを再生するアプリケーションであり、再生表示モードを切り替えることにより、モニター１ａの全画面に動画データを再生表示させる全画面モードと、画面上に区画形成されたウィンドウ内で再生表示させるコンパクトモードとを切り替える表示モード切り替え機能を備えており、この表示モードの変更操作は、画面内のユーザーコントロールにより行えるようになっている。
【００３９】
ユーザーコントロール表示部１４ｃは、上記動画再生部１４ｂに備えられた機能であり、動画再生部１４ｂにおける動画再生に関する操作を行うためのGUI（Graphical User Interface）の表示を制御するモジュールである。ユーザーコントロール表示部１４ｃは、広告コンテンツを再生している間、動画再生部１４ｂの動作を制御するユーザーコントロールを非表示とする機能を備えている。
【００４０】
外部出力インターフェース１３は、モニター１ａやスピーカー等の出力デバイスから映像や音声を出力するために映像信号や音声信号を送出するモジュールであり、アプリケーション実行部１４で実行されるアプリケーションソフトに関する映像や音声を出力することができる。操作信号受信部１２は、マウス１ｂやキーボード等の操作デバイスから操作信号を受信するモジュールであり、受信された操作信号は、アプリケーション実行部１４に入力され、各アプリケーションの操作を行うことができる。
【００４１】
（広告方法）
以上の構成を有する広告システムを動作させることによって、本発明の広告方法を実施することができる。図６は、本実施形態に係る広告システムの動作を示すフローチャート図である。
【００４２】
同図に示すとおり、先ず、ユーザー端末１からWebサーバ２にアクセスし、ブラウザ部１４ａによりWebページＰ１の閲覧を開始すると、Webサーバ２の実行環境検出部２５において、動画再生手段が実行できる環境であるか否かを判断する（Ｓ１０２）。具体的には、実行環境検出部２５により、検出対象なっているユーザー端末１内のファイル検索を行い、動画再生アプリケーションのリストに挙げられている実行ファイルのファイル名が見つからない場合には、動画実行が不可能と判定し（ステップＳ１０２における“Ｎ”）、ファイル名が見つかれば実行可能と判定する（ステップＳ１０２における“Ｙ”）。
【００４３】
ステップＳ１０２において、ユーザー端末１が動画を再生する機能を備えていないと判定されている場合（ステップＳ１０２における“Ｎ”）には、上述した通常フラッシュのバナーＢ２を含むWebページを表示させる（Ｓ１１６及びＳ１１７）。具体的には、バナー変更部２２により、WebページＰ１内に記述されているバナーのファイル名、及び動画再生手段による動画再生を実行させるためのスクリプトの記述を削除する。この動画再生を実行するスクリプトの記述を削除することにより、動画再生手段による全画面再生が禁止される。従って、このバナーＢ２をクリックすることにより（Ｓ１１８）、動画が再生されることなく、直接クライアントホームページＰ２に遷移する（Ｓ１１３及びＳ１１４）。
【００４４】
一方、ステップＳ１０２において、動画を再生する機能を備えていると判定された場合（ステップＳ１０２における“Ｙ”）には、バナーＢ１を含むWebページを表示させる（Ｓ１０３及びＳ１０４）。具体的には、バナー変更部２２により、WebページＰ１内に記述されているバナーのファイル名を変更するとともに、スクリプトの変更は行わず、デフォルトのまま前記動画再生手段による全画面再生を指示する。
【００４５】
そして、バナーＢ１１がクリックされると（Ｓ１０５）、広告コンテンツサーバ３の再生回数カウント部３６により、再生に係る広告コンテンツについて、いずれのブラウザソフトで何回表示されたかを照合し、表示回数に応じて、広告コンテンツの再生を規制する（Ｓ１０６）。ここでは、一回も再生されていないか、既に再生済みかに応じて、広告コンテンツの再生処理をスキップするか否かを判断する。既に再生済みであれば（ステップＳ１０６における“Ｙ”）、動画が再生がスキップされ（Ｓ１１５）、動画が再生されることなく、直接クライアントホームページＰ２に遷移する（Ｓ１１３及びＳ１１４）。
【００４６】
一方、クリックされたバナーに係る広告コンテンツが未だ再生されたことがないときには（ステップＳ１０６における“Ｎ”）、ユーザー端末１側の通信能力に応じて、配信に係る広告コンテンツのサイズを選択する。具体的には、回線速度測定部３５によって、ユーザー端末１が接続されている回線速度を測定し（Ｓ１０７）、回線速度測定部３５による測定結果に応じて、ファイルサイズ変更部３２によって、コンテンツデータベース３１内の広告コンテンツのサイズを選択・変更する（Ｓ１０８）。この選択に従って広告コンテンツ配信部３３は、所定の広告コンテンツの動画ファイルをコンテンツデータベース３１から読み出し、通信Ｉ/Ｆ３４を通じて送信する。
【００４７】
次いで、ユーザー端末１側では、バナーに関連づけられた広告コンテンツＣ１が取得され、広告コンテンツＣ１の全画面再生が実行される（Ｓ１０９）。広告コンテンツＣ１の全画面再生が実行されている間、本実施形態では、ユーザー端末１側でユーザーコントロールを非表示とする（Ｓ１１０）。これにより、動画再生動作の停止やスキップ、早送りなどが禁止される。
【００４８】
その後、各広告コンテンツの再生が終了すると、再生回数カウント部３６により、ユーザー毎の視聴回数を“１”増加させるように、コンテンツデータベース３１のカウンターデータを更新する再生済み処理を実行する（Ｓ１１２）。そして、この再生済み処理が完了された後、クライアントホームページＰ２に遷移する（Ｓ１１３及びＳ１１４）。
【００４９】
（作用・効果）
このような本実施形態によれば、Webが元来有するインタラクティブな機能を活用し、バナーを通じて宣伝広告を行えるとともに、Webページ間の遷移によりユーザーをリンク先（クライアントホームページＰ２）に誘導するなど、インターネットが持つ媒体特性を最大限に生かしたプロモーションが可能となる。特に、本実施形態では、Webページ間の遷移に際し、バナーＢ１１に関連づけられた広告コンテンツＣ１の動画データを、ユーザー端末１のモニター１ａの全画面に再生表示させるため、表示されたコンテンツのインパクトを大きくすることができ、宣伝効果を高めることができる。
【００５０】
また、上記実施形態では、広告コンテンツを再生している間、ユーザーコントロールを非表示とすることにより、広告コンテンツの再生が中止されたりスキップされたりするのを防止することができ、広告コンテンツによるプロモーションを完遂することができる。
【００５１】
さらに、上記実施形態では、広告コンテンツサーバが、再生回数カウント部３６によって、各広告コンテンツについて、いずれのブラウザソフトで何回表示されたかをカウントし記録しておき、ユーザー端末１において、動画再生手段の実行に際し、配信に係る広告コンテンツのカウントに応じて、広告コンテンツの再生を規制するため、各ユーザーに対する広告コンテンツの再生回数を規定することができ、宣伝効果を十分に得ることができるとともに、同一のコンテンツが必要以上に繰り返し再生されることを制限することもできる。
【００５２】
上記実施形態では、ユーザー端末１側の通信回線の通信速度を測定し、その通信環境に即したサイズの広告コンテンツを配信するため、広告コンテンツの再生が滞らないようにすることができ、通信遅延により宣伝効果が低減されるのを回避することができる。
【００５３】
また、上記実施形態においてWebサーバは、ユーザー端末における動画再生手段の実行の可否に応じてバナーを差し替え、広告表示に際しての全画面再生を禁止するため、ユーザー端末側に動画を再生する機能が備えられていないときに、動画の再生処理が無理に実行されるのを防止することができる。特に、バナーが表示される時点で、バナーの表示内容を切り替えることから、動画再生に替えて他の広告コンテンツを表示させることができ、動画再生ができない環境のユーザーが、動画が再生されると誤解するのを防止することもできる。
【図面の簡単な説明】
【００５４】
【図１】実施形態に係る広告システムの全体構成を示す概念図である。
【図２】実施形態に係る広告方法の概要を示す概念図である。
【図３】実施形態に係る広告システムのWebサーバの内部構成を示すブロック図である。
【図４】実施形態に係るのWebサーバの内部構成を示すブロック図である。
【図５】実施形態に係るのWebサーバの内部構成を示すブロック図である。
【図６】実施形態に係る広告システムの動作を示すフローチャート図である。
【符号の説明】
【００５５】
Ｂ１１…動画リンク用バナー
Ｂ１２…ホームページリンク用バナー
Ｂ２…通常フラッシュバナー
Ｃ１…広告コンテンツ
Ｐ１…Webページ（バナー表示）
Ｐ２…Webページ（クライアントＨＰ又はインデックスページ）
１…ユーザー端末
１ａ…モニター
１ｂ…マウス
２…Webサーバ（バナー表示）
３…広告コンテンツサーバ
４…Webサーバ（クライアントＨＰ又はインデックスページ）
５…インターネット
１１…通信インターフェース
１２…操作信号受信部
１３…外部出力インターフェース
１４…アプリケーション実行部
１４ａ…ブラウザ部
１４ｂ…動画再生部
１４ｃ…ユーザーコントロール表示部
２１…コンテンツデータベース
２２…バナー変更部
２３…Webコンテンツ配信部
２４…通信インターフェース
２５…実行環境検出部
３１…コンテンツデータベース
３２…ファイルサイズ変更部
３３…広告コンテンツ配信部
３４…通信インターフェース
３５…回線速度測定部
３６…再生回数カウント部
３７…ユーザーコントロール制御部
【図１】
2009146235.tif 000003
【図２】
2009146235.tif 000004
【図３】
2009146235.tif 000005
【図４】
2009146235.tif 000006
【図５】
2009146235.tif 000007
【図６】
2009146235.tif 000008